(57)【要約】【課題】商品を収納した状態で、商品収納搬送路の横幅が下部ほど拡大してしまうのを低減することが可能な自動販売機の横幅調整装置を提供する。【解決手段】商品収納搬送路４は幅調整板２１と一方の側板１２ａとの間に形成され、他方の側板１２ｂと幅調整板２１との間にリンク機構６１が設けられ、リンク機構６１は、他方の側板１２ｂに設けられた上下一対の回動リンク６２，６３と、両回動リンク６２，６３の遊端間に連結された連結部材６４とを有し、回動リンク６２，６３の遊端軸６２ｃ，６３ｃが幅調整板２１に係合し、上部の回動リンク６２は両端部間の直線距離Ｒ１が伸縮可能であり、リンク機構６１を開いた状態で、上部の回動リンク６２の直線距離Ｒ１が下部の回動リンク６３の長さＲ２より短縮し、リンク機構６１を閉じた状態で、上部の回動リンク６２の直線距離Ｒ１が伸長して下部の回動リンク６３の長さＲ２と同じになる。【選択図】図１
2009026090.tif 000002
【特許請求の範囲】
【請求項１】
商品を収納する商品収納搬送路の横幅方向へ幅調整板を移動することにより、商品収納搬送路の横幅を調整する自動販売機の横幅調整装置であって、
幅調整板は一対の側板間に設けられ、
幅調整板は、支持部材に、横幅方向へ移動自在な状態で吊り下げられて支持され、
商品収納搬送路は幅調整板といずれか一方の側板との間に形成され、
他方の側板と幅調整板との間にリンク機構が設けられ、
リンク機構は、他方の側板に横軸を中心として回動自在に設けられた上下一対の回動リンクと、両回動リンクの遊端間に連結されて遊端間を所定距離に維持する連結部材とを有し、
上部および下部の回動リンクの各遊端部がそれぞれ幅調整板に上下移動自在に係合し、
幅調整板の下部が上端吊り位置を支点にして他方の側板に接近する方向へ揺動することを規制する規制部材が幅調整板に設けられ、
規制部材は、下部の回動リンクの遊端部に対して、上下方向において係脱自在であり、
上部の回動リンクは基端部と遊端部との間の直線距離が伸縮可能であり、
幅調整板が他方の側板から離反する方向にリンク機構を開いた状態では、上部の回動リンクの上記直線距離が短縮して下部の回動リンクの長さよりも短くなり、
幅調整板が他方の側板に接近する方向にリンク機構を閉じて上部および下部の回動リンクが幅調整板と他方の側板との間に挟まれた状態では、上部の回動リンクの上記直線距離が伸長して下部の回動リンクの長さと同じになるように設定されていることを特徴とする自動販売機の横幅調整装置。
【請求項２】
上部の回動リンクは弓形状に湾曲していることを特徴とする請求項１に記載の自動販売機の横幅調整装置。
【発明の詳細な説明】
【技術分野】
【０００１】
本発明は、幅調整板を移動することにより、商品収納搬送路の横幅を調整する自動販売機の横幅調整装置に関する。
【背景技術】
【０００２】
従来、一般に、缶やペットボトル等の商品などを扱う自動販売機は、図９に示すように、自動販売機本体１の内部に、搬送機能と収納機能とを兼ねた商品収納部２が設けられ、これらの商品収納部２には、商品収納搬送路４が前後複数形成されている。各商品収納搬送路４内には湾曲したガイド板１１が上下複数設けられている。
【０００３】
各商品収納搬送路４の下端部には、収納した商品３を順次払い出す商品払出装置５が設けられており、この商品払出装置５から払い出された商品３がシュート（図示省略）を介して前面下部の商品取出口（図示省略）に導かれる。
【０００４】
各商品収納部２の上部には、商品３を投入する商品投入口８がそれぞれ開口されているとともに、各商品投入口８と各商品収納搬送路４の上端とを斜めに接続して傾斜導入通路９の床面および側面を形成する通路構成部品としての入口ガイド１０が設けられている。
【０００５】
この入口ガイド１０は、奥側が斜め下方に少し傾斜する姿勢で配設され、商品収納搬送路４が奥側にある上方寄りのものほど長く形成されている。商品投入口８から投入された商品３は、入口ガイド１０上を転がりながら傾斜導入通路９を通った後、商品収納搬送路４内をガイド板１１によって蛇行しながら下方の商品払出装置５側へ搬送される。
【０００６】
収納される商品３は、種類によって径が異なる他、長さＬも異なる複数のものがある。従って、図１０に示すように、商品収納部２には、商品収納搬送路４と傾斜導入通路９との左右方向における横幅５０（有効通路幅）を商品３の長さＬに応じて調整する横幅調整装置２０が設けられている。
【０００７】
横幅調整装置２０は、左右一対の側板１２ａ，１２ｂ間に配設された幅調整板２１と、一対の側板１２ａ，１２ｂ間に水平に架設された支持部材２２と、リンク機構２３とを有している。
【０００８】
幅調整板２１は、支持部材２２に、横幅方向Ｗ（左右方向）へ移動自在な状態で吊り下げられて支持されている。商品収納搬送路４は幅調整板２１と一方の側板１２ａとの間に形成されている。尚、支持部材２２には、複数種類の商品３の長さに対応した複数の上端吊り位置Ｐａ〜Ｐｄが設定されている。
【０００９】
図１１，図１２に示すように、幅調整板２１の前後両側部の上下二箇所には、他方の側板１２ｂ側（幅調整板２１の裏側）に向かって突出する取付フランジ板部２４，２５が切り起し形成されている。上部の取付フランジ板部２４には、上下方向に長い上部の被係合溝２７が形成されている。また、下部の取付フランジ板部２５には、上下方向に長い下部の被係合溝２８が形成されている。
【００１０】
リンク機構２３は、四節の平行リンク構造を有し、他方の側板１２ｂと幅調整板２１との間に設けられ、幅調整板２１を横幅方向Ｗにおいて支えている。リンク機構２３は、他方の側板１２ｂに上下回動自在に設けられた上下一対の回動リンク３０，３１と、両回動リンク３０，３１の遊端間に連結されて遊端間を所定距離に維持する連結部材３２とを有している。
【００１１】
上部の回動リンク３０の遊端部には、上部の遊端軸３３が外方へ折り曲げられて形成され、また、基端部には、上部の基端軸３４が設けられている。下部の回動リンク３１の遊端部には、下部の遊端軸３５が外方へ折り曲げられて形成され、また、基端部には、下部の基端軸３６が設けられている。
【００１２】
連結部材３２は幅調整板２１に対して上下移動自在であり、連結部材３２の上部は前後一対の上部の取付フランジ板部２４間に挿入され、連結部材３２の下部は前後一対の下部の取付フランジ板部２５間に挿入されている。連結部材３２の前後両側部には、他方の側板１２ｂ側（連結部材３２の裏側）に向かって突出する連結フランジ板部３７が曲げ加工により形成されている。
【００１３】
図１６に示すように、連結フランジ板部３７の上部と下部とにはそれぞれ、Ｃ形状に開口した凹部３８，３９が形成されている。上部の回動リンク３０の上部の遊端軸３３は、内側から連結フランジ板部３７の上部の凹部３８に嵌め込まれ、さらに、幅調整板２１の上部の被係合溝２７に上下移動自在に係合している。他方の側板１２ｂには、前後両端が開口した角筒状に形成された上下一対の軸受片４０，４１が設けられている。図１５（ａ）に示すように、上部の回動リンク３０の上部の基端軸３４は上部の軸受片４０に挿通されている。
【００１４】
尚、連結フランジ板部３７の上部と下部とにそれぞれ凹部３８，３９を形成しているが、凹部３８，３９の代わりに孔部を形成してもよい。
図１６（ｂ）に示すように、下部の回動リンク３１の下部の遊端軸３５は、内側から連結フランジ板部３７の下部の凹部３９に嵌め込まれ、さらに、幅調整板２１の下部の被係合溝２８に上下移動自在に係合している。図１５（ｂ）に示すように、下部の回動リンク３１の下部の基端軸３６は下部の軸受片４１に挿通されている。
【００１５】
図１４に示すように、上部の回動リンク３０の上部の基端軸３４（基端部）から上部の遊端軸３３（遊端部）までの長さと下部の回動リンク３１の下部の基端軸３６（基端部）から下部の遊端軸３５（遊端部）までの長さは同一である。また、上部の基端軸３４から下部の基端軸３６までの距離と上部の遊端軸３３から下部の遊端軸３５までの距離とは同一である。上部の回動リンク３０と下部の回動リンク３１とは平行であり、連結部材３２と他方の側板１２ｂとは平行であり、上部および下部の回動リンク３０，３１と連結部材３２と他方の側板１２ｂとによって平行四辺形が形成される。
【００１６】
幅調整板２１には、幅調整板２１の下部が各上端吊り位置Ｐａ〜Ｐｃを支点にして他方の側板１２ｂに接近する方向へ揺動するのを規制する山形状の複数の規制部材４２が形成されている。各規制部材４２は、下部の回動リンク３１の下部の遊端軸３５に対して、上下方向において係脱自在である。
【００１７】
図１３に示すように、入口ガイド１０は、一対の側板１２ａ，１２ｂ間に跨って傾斜して架設された固定底板４４と、固定底板４４上にあって横幅方向Ｗ（左右方向）へ移動自在な可動側板４５とを有している。各幅調整板２１の上端部は入口ガイド１０の可動側板４５の後端部（奥端部）に連結されている。
【００１８】
固定底板４４には複数の位置設定用孔４６が形成されており、各位置設定用孔４６は支持部材２２に設定された上記各上端吊り位置Ｐａ〜Ｐｄ（図１４参照）に対応している。また、可動側板４５には、位置設定用孔４６に上方から選択的に落し込んで係合可能な位置設定用片４７が設けられている。
【００１９】
尚、上記のような自動販売機の横幅調整装置２０としては、例えば下記特許文献１に示すものがある。
この構成によると、商品収納搬送路４が空の状態で、図１３（ｂ）に示すように、入口ガイド１０の可動側板４５を上方へ持ち上げて位置設定用片４７を位置設定用孔４６から上方に脱抜し、可動側板４５を横幅方向Ｗ（左右方向）へ移動させ、その後、図１３（ａ）に示すように、可動側板４５を下げて、位置設定用片４７を別の位置設定用孔４６に落とし込む。
【００２０】
これにより、可動側板４５と一体に幅調整板２１が横幅方向Ｗ（左右方向）へ移動し、これに連動して、上部の回動リンク３０が上部の基端軸３４を中心に上下方向に回動して、上部の遊端軸３３が上部の被係合溝２７内を上下方向に移動しながら横幅方向Ｗへ変移するとともに、下部の回動リンク３１が下部の基端軸３６を中心に上下方向に回動して、下部の遊端軸３５が下部の被係合溝２８内を上下方向に移動しながら横幅方向Ｗへ変移する。これにより、商品３の長さＬに応じて、商品収納搬送路４と傾斜導入通路９との左右方向における横幅５０が調整される。
【００２１】
図１４〜図１６に示すように、商品収納搬送路４が空の状態では、幅調整板２１は支持部材２２で支持され、上部の回動リンク３０が、自重によって下向きＡに回動しようとして、幅調整板２１を他方の側板１２ｂに接近する方向Ｂへ引き込もうとする。この際、上部の基端軸３４と上部の軸受片４０との間および下部の基端軸３６と下部の軸受片４１との間および上部の遊端軸３３と上部の被係合溝２７との間および下部の遊端軸３５と下部の被係合溝２８との間にはそれぞれがたつきがあるため、幅調整板２１は、上端吊り位置Ｐｂを支点にして、下部が他方の側板１２ｂに接近する方向Ｂへ寄る。これにより、図１６（ｂ）に示すように下部の回動リンク３１の下部の遊端軸３５が下部の被係合溝２８の一側縁に当接するとともに、図１５（ｂ）に示すように下部の回動リンク３１の下部の基端軸３６が斜め上へ変移して下部の軸受片４１に当接して、幅調整板２１と他方の側板１２ｂとの間で下部の回動リンク３１が突っ張るため、幅調整板２１は、上端吊り位置Ｐｂを支点にして、下部が他方の側板１２ｂに接近する方向Ｂへ傾斜した傾斜姿勢に保たれてしまう。
【００２２】
その後、図１０に示すように、複数の商品３を、商品投入口８から投入し、商品収納搬送路４内に収納する。図１７，図１８に示すように、商品３が商品収納搬送路４内に収納されている状態では、商品３が幅調整板２１を押圧するため、幅調整板２１の下部付近に、一方の側板１２ａから他方の側板１２ｂへの方向の側圧力Ｆが作用する。
【００２３】
この際、幅調整板２１は、側圧力Ｆによって押されて、下部が他方の側板１２ｂに接近する方向へさらに傾斜する。そして、図１８（ｂ）に示すように、規制部材４２が下部の遊端軸３５に係合し、この時点で、幅調整板２１の下部が他方の側板１２ｂに接近する方向へ揺動することは規制される。
【００２４】
その後、商品３を購入する場合、商品収納搬送路４内の最下位の商品３が、商品払出装置５から払い出され、シュートを介して商品取出口に導かれる。
【特許文献１】特開２００５−２０８９２９
【発明の開示】
【発明が解決しようとする課題】
【００２５】
しかしながら上記の従来形式では、上部の基端軸３４と上部の軸受片４０との間および下部の基端軸３６と下部の軸受片４１との間および上部の遊端軸３３と上部の被係合溝２７との間および下部の遊端軸３５と下部の被係合溝２８との間にそれぞれがたつきがあるため、図１４に示すように、商品収納搬送路４が空の状態において、下部の遊端軸３５の位置が上部の遊端軸３３の位置に比べて他方の側板１２ｂに接近する方向Ｂへ変位し、幅調整板２１は、上端吊り位置Ｐｂを支点にして、下部が他方の側板１２ｂに接近する方向Ｂへ傾斜した傾斜姿勢に保たれてしまう。尚、製造工程および組立工程での必要性から、ある程度がたつきを有する構成とならざるを得ない。
【００２６】
このように、商品収納搬送路４が空の状態において、既に幅調整板２１が傾斜姿勢になっているため、その後、図１７に示すように、商品３を商品収納搬送路４内に収納して、幅調整板２１に側圧力Ｆが作用した場合、規制部材４２が下部の遊端軸３５に係合するまで、幅調整板２１は上記傾斜姿勢からさらに下部が他方の側板１２ｂに接近して傾斜することになる。したがって、鉛直方向に対する幅調整板２１の傾斜角度が増大し、商品収納搬送路４の横幅５０が下部ほど拡大してしまうといった問題がある。
【００２７】
尚、上記のように商品収納搬送路４の横幅５０が下部ほど拡大してしまうと、商品収納搬送路４の下部に収納された商品３と幅調整板２１との間の隙間が規定の隙間よりも拡大してしまうため、長さが短くて異径の商品３等の場合、商品３の姿勢が不揃いになり易く、商品３が詰まってしまう虞がある。
【００２８】
本発明は、商品を商品収納搬送路内に収納した状態で、商品収納搬送路の横幅が下部ほど拡大してしまうことを低減することが可能な自動販売機の横幅調整装置を提供することを目的とする。
【課題を解決するための手段】
【００２９】
上記目的を達成するために、本第１発明は、商品を収納する商品収納搬送路の横幅方向へ幅調整板を移動することにより、商品収納搬送路の横幅を調整する自動販売機の横幅調整装置であって、
幅調整板は一対の側板間に設けられ、
幅調整板は、支持部材に、横幅方向へ移動自在な状態で吊り下げられて支持され、
商品収納搬送路は幅調整板といずれか一方の側板との間に形成され、
他方の側板と幅調整板との間にリンク機構が設けられ、
リンク機構は、他方の側板に横軸を中心として回動自在に設けられた上下一対の回動リンクと、両回動リンクの遊端間に連結されて遊端間を所定距離に維持する連結部材とを有し、
上部および下部の回動リンクの各遊端部がそれぞれ幅調整板に上下移動自在に係合し、
幅調整板の下部が上端吊り位置を支点にして他方の側板に接近する方向へ揺動することを規制する規制部材が幅調整板に設けられ、
規制部材は、下部の回動リンクの遊端部に対して、上下方向において係脱自在であり、
上部の回動リンクは基端部と遊端部との間の直線距離が伸縮可能であり、
幅調整板が他方の側板から離反する方向にリンク機構を開いた状態では、上部の回動リンクの上記直線距離が短縮して下部の回動リンクの長さよりも短くなり、
幅調整板が他方の側板に接近する方向にリンク機構を閉じて上部および下部の回動リンクが幅調整板と他方の側板との間に挟まれた状態では、上部の回動リンクの上記直線距離が伸長して下部の回動リンクの長さと同じになるように設定されているものである。
【００３０】
これによると、商品収納搬送路が空の場合、リンク機構を開いた状態では、上部の回動リンクが、自重によって、幅調整板を他方の側板に接近する方向へ引き込もうとする。これにより、幅調整板の下部が下部の回動リンクの遊端部に当接し、下部の回動リンクが幅調整板と他方の側板との間で突っ張る。この際、上部の回動リンクの上記直線距離が下部の回動リンクの長さよりも短いため、下部の回動リンクの遊端部の位置は上部の回動リンクの遊端部の位置に比べて他方の側板から離反する方向へ変位している。これにより、幅調整板の下部が従来よりも他方の側板から離反する方向へ変位し、幅調整板が上端吊り位置を支点にして鉛直姿勢又は従来よりも鉛直に近い姿勢に保たれる。
【００３１】
このように、商品収納搬送路が空の状態で、幅調整板が鉛直姿勢（又は鉛直に近い姿勢）に保たれるため、商品収納搬送路内に商品を収納して幅調整板に側圧力が作用した場合、側圧力によって幅調整板が傾斜しても、規制部材が下部の回動リンクの遊端部に係合することにより、幅調整板の下部が上端吊り位置を支点にして他方の側板に接近する方向へ揺動することは規制され、鉛直方向に対する幅調整板の傾斜角度は従来よりも減少し、商品収納搬送路の横幅が下部ほど拡大してしまうことを低減することができる。これにより、商品の払い出しに支障を来たす虞れが無くなる。
【００３２】
また、リンク機構を閉じて上部および下部の回動リンクが幅調整板と他方の側板との間に挟まれた際、上部の回動リンクの上記直線距離が伸長して下部の回動リンクの長さと同じになるため、幅調整板を鉛直姿勢にした状態で、リンク機構を他方の側板側へ折り畳むことができる。
【００３３】
また、本第２発明は、上部の回動リンクは弓形状に湾曲しているものである。
【発明の効果】
【００３４】
以上のように本発明によると、商品収納搬送路が空の場合、リンク機構を開いた状態では、上部の回動リンクの両端部間の直線距離が下部の回動リンクの長さよりも短いため、下部の回動リンクの遊端部の位置は上部の回動リンクの遊端部の位置に比べて他方の側板から離反する方向へ変位している。これにより、幅調整板の下部が従来よりも他方の側板から離反する方向へ変位し、幅調整板が上端吊り位置を支点にして鉛直姿勢又は従来よりも鉛直に近い姿勢に保たれる。
【００３５】
このように、商品収納搬送路が空の状態で、幅調整板が鉛直姿勢（又は鉛直に近い姿勢）に保たれるため、商品収納搬送路内に商品を収納した場合、側圧力によって幅調整板が傾斜しても、規制部材が下部の回動リンクの遊端部に係合することにより、幅調整板の下部が上端吊り位置を支点にして他方の側板に接近する方向へ揺動することは規制され、鉛直方向に対する幅調整板の傾斜角度は従来よりも減少し、商品収納搬送路の横幅が下部ほど拡大してしまうことを低減することができる。これにより、商品の払い出しに支障を来たす虞れが無くなる。
【００３６】
また、リンク機構を閉じた際、上部の回動リンクの両端部間の直線距離が伸長して下部の回動リンクの長さと同じになるため、幅調整板を鉛直姿勢にした状態で、リンク機構を他方の側板側へ折り畳むことができる。
【発明を実施するための最良の形態】
【００３７】
以下、本発明における実施の形態を図１〜図８を参照して説明する。尚、先に述べた従来のものと同じ部材については同一の符号を付記して説明を省略する。
図１に示すように、横幅調整装置６０は、左右一対の側板１２ａ，１２ｂ間に配設された幅調整板２１と、一対の側板１２ａ，１２ｂ間に水平に架設された支持部材２２と、リンク機構６１とを有している。
【００３８】
図２，図３に示すように、幅調整板２１の前後両側部の上下二箇所には、他方の側板１２ｂ側（幅調整板２１の裏側）に向かって突出する取付フランジ板部２４，２５が切り起し形成されている。上部の取付フランジ板部２４には、上下方向に長い上部の被係合溝２７が形成されている。また、下部の取付フランジ板部２５には、上下方向に長い下部の被係合溝２８が形成されている。
【００３９】
リンク機構６１は、他方の側板１２ｂと幅調整板２１との間に設けられ、幅調整板２１を横幅方向Ｗにおいて支えている。リンク機構６１は、他方の側板１２ｂに上下回動自在に設けられた上下一対の回動リンク６２，６３と、両回動リンク６２，６３の遊端間に連結されて遊端間を所定距離に維持する連結部材６４とを有している。
【００４０】
上部の回動リンク６２は、丸棒状の部材をコ形状に屈曲して形成されており、前後一対の上部リンクアーム６２ａと、両上部リンクアーム６２ａの基端部間に設けられた上部基端軸６２ｂ（基端部）と、両上部リンクアーム６２ａの遊端部に設けられて前後外方へ突出した上部遊端軸６２ｃ（遊端部）とを有している。
【００４１】
上部リンクアーム６２ａは、ばね材等の弾性材で形成され、下向きに湾曲した弓形状（円弧状）に保たれ、上部基端軸６２ｂと上部遊端軸６２ｃとの間の直線距離Ｒ１が伸縮可能となっている。
【００４２】
下部の回動リンク６３は、丸棒状の部材をコ形状に屈曲して形成されており、前後一対の下部リンクアーム６３ａと、両下部リンクアーム６３ａの基端部間に設けられた下部基端軸６３ｂ（基端部）と、両下部リンクアーム６３ａの遊端部に設けられて前後外方へ突出した下部遊端軸６３ｃ（遊端部）とを有している。
【００４３】
連結部材６４は幅調整板２１に対して上下移動自在に当接している。連結部材６４の上部は前後一対の上部の取付フランジ板部２４間に挿入され、連結部材６４の下部は前後一対の下部の取付フランジ板部２５間に挿入されている。連結部材６４の前後両側部には、他方の側板１２ｂ側（連結部材６４の裏側）に向かって突出する連結フランジ板部６５が曲げ加工により形成されている。
【００４４】
図５に示すように、連結フランジ板部６５の上部と下部とにはそれぞれ、Ｃ形状に開口した凹部６６，６７が形成されている。上部の回動リンク６２の上部遊端軸６２ｃは、内側から連結フランジ板部６５の上部の凹部６６に嵌め込まれ、さらに、幅調整板２１の上部の被係合溝２７に上下移動自在に係合している。
【００４５】
図４に示すように、他方の側板１２ｂには上下一対の角筒状の軸受片４０，４１が設けられ、これら軸受片４０，４１はそれぞれ、前後両端が開口した四角形の挿通孔４０ａ，４１ａを有している。上部の回動リンク６２の上部基端軸６２ｂは上部の挿通孔４０ａに挿通されている。
【００４６】
また、図５（ｂ）に示すように、下部の回動リンク６３の下部遊端軸６３ｃは、内側から連結フランジ板部６５の下部の凹部６７に嵌め込まれ、さらに、幅調整板２１の下部の被係合溝２８に上下移動自在に係合している。図４（ｂ）に示すように、下部の回動リンク６３の下部基端軸６３ｂは下部の挿通孔４１ａに挿通されている。
【００４７】
図１に示すように、幅調整板２１が他方の側板１２ｂから離反する方向にリンク機構６１を開いた状態では、上部の回動リンク６２の上記直線距離Ｒ１が短縮して下部の回動リンク６３の長さＲ２よりも短くなる状態に保たれる。
【００４８】
また、図８に示すように、幅調整板２１が他方の側板１２ｂに接近する方向にリンク機構６１を閉じて上部および下部の回動リンク６２，６３が幅調整板２１と他方の側板１２ｂとの間に挟まれた状態では、幅調整板２１の下部が他方の側板１２ｂから離反する方向に傾斜すると、上端吊り位置Ｐｄを中心にして回転モーメントＭが幅調整板２１に発生し、上部の回動リンク６２が回転モーメントＭによって横方向から押されるとともに連結部材６４の自重によって下方に引っ張られることで、上部の回動リンク６２の上記直線距離Ｒ１が伸長して下部の回動リンク６３の長さＲ２と同じになるように設定されている。
【００４９】
図１，図３に示すように、幅調整板２１の下部が各上端吊り位置Ｐａ〜Ｐｃを支点にして他方の側板１２ｂに接近する方向Ｂへ揺動することを規制する山形状の規制部材７０ａ，７０ｂ，７０ｃが、幅調整板２１に上下複数設けられている。各規制部材７０ａ，７０ｂ，７０ｃは、下部の回動リンク６３の下部遊端軸６３ｃに対して、上下方向において係脱自在である。
【００５０】
以下、上記構成における作用を説明する。
これによると、商品収納搬送路４が空の状態で、図１３（ｂ）に示すように、入口ガイド１０の可動側板４５を上方へ持ち上げて位置設定用片４７を位置設定用孔４６から上方に脱抜し、可動側板４５を横幅方向Ｗ（左右方向）へ移動させ、その後、図１３（ａ）に示すように、可動側板４５を下げて、位置設定用片４７を別の位置設定用孔４６に落とし込む。
【００５１】
これにより、可動側板４５と一体に幅調整板２１が横幅方向Ｗ（左右方向）へ移動し、これに連動して、上部の回動リンク６２が上部基端軸６２ｂを中心に上下方向に回動して、上部遊端軸６２ｃが上部の被係合溝２７内を上下方向に移動するとともに、下部の回動リンク６３が下部基端軸６３ｂを中心に上下方向に回動して、下部遊端軸６３ｃが下部の被係合溝２８内を上下方向に移動し、幅調整板２１に対して連結部材６４が上下移動する。これにより、商品３の長さＬに応じて、商品収納搬送路４と傾斜導入通路９との左右方向における横幅５０が調整される。
【００５２】
これによると、図１，図４，図５に示すように、商品収納搬送路４が空の場合、リンク機構６１を開いた状態では、幅調整板２１は支持部材２２で支持され、上部の回動リンク６２が、自重によって下向きＡに回動しようとして、幅調整板２１を他方の側板１２ｂに接近する方向Ｂへ引き込もうとする。この際、上部基端軸６２ｂと上部の軸受片４０との間および下部基端軸６３ｂと下部の軸受片４１との間および上部遊端軸６２ｃと上部の被係合溝２７との間および下部遊端軸６３ｃと下部の被係合溝２８との間にはがたつきがあるため、幅調整板２１は、上端吊り位置Ｐｂを支点にして、下部が他方の側板１２ｂに接近する方向Ｂへ寄る。
【００５３】
これにより、図５（ｂ）に示すように下部の回動リンク６３の下部遊端軸６３ｃが下部の被係合溝２８の一側縁に当接するとともに、図４（ｂ）に示すように下部の回動リンク６３の下部基端軸６３ｂが斜め上へ変移して下部の軸受片４１に当接して、幅調整板２１と他方の側板１２ｂとの間で下部の回動リンク６３が突っ張る。
【００５４】
この際、図１に示すように、上部の回動リンク６２の上記直線距離Ｒ１が下部の回動リンク６３の長さＲ２よりも短いため、下部の回動リンク６３の下部遊端軸６３ｃの位置は上部の回動リンク６２の上部遊端軸６２ｃの位置に比べて他方の側板１２ｂから離反する方向Ｃ（すなわち上記方向Ｂとは逆方向）へ変位している。これにより、幅調整板２１の下部が従来よりも他方の側板１２ｂから離反する方向Ｃへ変位し、幅調整板２１が上端吊り位置Ｐｂを支点にして鉛直姿勢（又は従来よりも鉛直に近い姿勢）に保たれる。
【００５５】
尚、この際、図１，図５に示すように、連結部材６４は下部が上部よりも上記方向Ｃへ変移した傾斜姿勢になり、下部の回動リンク６３の下部遊端軸６３ｃが下部の被係合溝２８の一側内縁に当接するとともに、上部の回動リンク６２の上部遊端軸６２ｃが上部の被係合溝２７の他側内縁に当接する。
【００５６】
このように、商品収納搬送路４が空の状態で、幅調整板２１が鉛直姿勢（又は鉛直に近い姿勢）に保たれるため、図６，図７に示すように、商品収納搬送路４内に複数の商品３を収納して幅調整板２１に側圧力Ｆが作用した場合、側圧力Ｆに押されて幅調整板２１が傾斜しても、鉛直方向に対する幅調整板２１の傾斜角度は従来よりも減少し、商品収納搬送路４の横幅５０が下部ほど拡大してしまうことを低減することができる。これにより、商品３の払い出しに支障を来たす虞れが無くなる。
【００５７】
また、上記のように幅調整板２１に側圧力Ｆが作用した場合、側圧力Ｆによって幅調整板２１が押されて傾斜するが、図７（ｂ）に示すように、規制部材７０ｂが下部の回動リンク６３の下部遊端軸６３ｃに係合することにより、幅調整板２１の下部が上端吊り位置Ｐｂを支点にして他方の側板１２ｂに接近する方向へ揺動することは規制され、幅調整板２１の傾斜が小角度の傾斜に規制される。
【００５８】
尚、図６に示した商品３よりも長さＬの短い商品３を商品収納搬送路４に収納する場合は、可動側板４５を横幅方向Ｗ（左右方向）へ移動させて、幅調整板２１を上端吊り位置Ｐａに移動させることにより、商品収納搬送路４の横幅５０が商品３の長さＬに応じて短縮される。この際、規制部材７０ａが下部の回動リンク６３の下部遊端軸６３ｃに係合することにより、幅調整板２１の下部が上端吊り位置Ｐａを支点にして他方の側板１２ｂに接近する方向へ揺動することは規制される。
【００５９】
また、図６に示した商品３よりも長さＬの長い商品３を商品収納搬送路４に収納する場合は、可動側板４５を横幅方向Ｗ（左右方向）へ移動させて、幅調整板２１を上端吊り位置Ｐｃに移動させることにより、商品収納搬送路４の横幅５０が商品３の長さＬに応じて拡張される。この際、規制部材７０ｃが下部の回動リンク６３の下部遊端軸６３ｃに係合することにより、幅調整板２１の下部が上端吊り位置Ｐｃを支点にして他方の側板１２ｂに接近する方向へ揺動することは規制される。
【００６０】
また、図８に示すように、最大の長さＬを有する商品３を商品収納搬送路４内に収納する場合は、可動側板４５を他方の側板１２ｂへ接近させて、幅調整板２１を他方の側板１２ｂに最も近い上端吊り位置Ｐｄに吊り下げて支持する。
【００６１】
これにより、上部および下部の回動リンク６２，６３が幅調整板２１と他方の側板１２ｂとの間に挟まれ、上部の回動リンク６２が回転モーメントＭによって横方向から押されるとともに連結部材６４の自重によって下方に引っ張られることで、上部の回動リンク６２の上記直線距離Ｒ１が伸長して下部の回動リンク６３の長さＲ２と同じになる。これにより、幅調整板２１を鉛直姿勢（又は鉛直に近い姿勢）にした状態で、リンク機構６１を他方の側板１２ｂ側へ折り畳むことができる。この際、下部の回動リンク６３の下部遊端軸６３ｃは下部の被係合溝２８に挿入されて最下部の規制部材７０ｃの下方に位置している。
【００６２】
その後、商品収納搬送路４内に商品３を収納する。
上記実施の形態では、幅調整板２１の上端吊り位置Ｐａ〜Ｐｄを支持部材２２の４箇所に設定しているが、４箇所以外の複数箇所に設定してもよい。
【００６３】
上記実施の形態では、上部の回動リンク６２の上部リンクアーム６２ａを下向きに湾曲させて弓形状（円弧状）に形成しているが、上向きに湾曲させて弓形状（円弧状）に形成してもよい。また、上部リンクアーム６２ａを山形状に屈曲させてもよいし、上部リンクアーム６２ａを板ばねにしてもよい。
【００６４】
上記実施の形態では、図５に示すように、連結フランジ板部６５の上部と下部とにそれぞれＣ形状に開口した凹部６６，６７を形成しているが、凹部６６，６７の代わりに孔部を形成し、上部の孔部に上部遊端軸６２ｃを嵌め込み、下部の孔部に下部遊端軸６３ｃを嵌め込んでもよい。
【図面の簡単な説明】
【００６５】
【図１】本発明の実施の形態における横幅調整装置の正面図であり、商品収納搬送路が空の状態を示す。
【図２】同、横幅調整装置のリンク機構の上部の斜視図である。
【図３】同、横幅調整装置のリンク機構の下部の斜視図である。
【図４】図１における横幅調整装置のリンク機構の上部および下部の回動リンクの基端部と側板との連結部分の拡大縦断面図である。
【図５】図１における横幅調整装置のリンク機構の上部および下部の回動リンクの遊端部と幅調整板との係合部分の拡大縦断面図である。
【図６】同、横幅調整装置の正面図であり、商品収納搬送路に商品を収納した状態を示す。
【図７】図６における横幅調整装置のリンク機構の上部および下部の回動リンクの遊端部と幅調整板との係合部分の拡大縦断面図である。
【図８】同、横幅調整装置の正面図であり、リンク機構を閉じた状態を示す。
【図９】従来の自動販売機本体の側面から見た縦断面図である。
【図１０】同、横幅調整装置の正面図であり、商品収納搬送路に商品を収納した状態を示す。
【図１１】同、横幅調整装置のリンク機構の上部の斜視図である。
【図１２】同、横幅調整装置のリンク機構の下部の斜視図である。
【図１３】同、横幅調整装置の幅調整板の上端部と入口ガイドとの側面図である。
【図１４】同、横幅調整装置の正面図であり、商品収納搬送路が空の状態を示す。
【図１５】図１４における横幅調整装置のリンク機構の上部および下部の回動リンクの基端部と側板との連結部分の拡大縦断面図である。
【図１６】図１４における横幅調整装置のリンク機構の上部および下部の回動リンクの遊端部と幅調整板との係合部分の拡大縦断面図である。
【図１７】同、横幅調整装置の正面図であり、商品収納搬送路に商品を収納した状態を示す。
【図１８】図１７における横幅調整装置のリンク機構の上部および下部の回動リンクの遊端部と幅調整板との係合部分の拡大縦断面図である。
【符号の説明】
【００６６】
３    商品  
４    商品収納搬送路
１２ａ，１２ｂ    側板
２１    幅調整板
２２    支持部材
５０    横幅
６０    横幅調整装置
６１    リンク機構
６２    上部の回動リンク
６２ｂ  上部基端軸（基端部）
６２ｃ  上部遊端軸（遊端部）
６３    下部の回動リンク    
６３ｂ  下部基端軸（基端部）
６３ｃ  下部遊端軸（遊端部）
６４    連結部材
７０ａ〜７０ｃ    規制部材
Ｐａ〜Ｐｄ    上端吊り位置
Ｒ１    直線距離
Ｒ２    長さ
Ｗ    横幅方向
【図１】
2009026090.tif 000003
【図２】
2009026090.tif 000004
【図３】
2009026090.tif 000005
【図４】
2009026090.tif 000006
【図５】
2009026090.tif 000007
【図６】
2009026090.tif 000008
【図７】
2009026090.tif 000009
【図８】
2009026090.tif 000010
【図９】
2009026090.tif 000011
【図１０】
2009026090.tif 000012
【図１１】
2009026090.tif 000013
【図１２】
2009026090.tif 000014
【図１３】
2009026090.tif 000015
【図１４】
2009026090.tif 000016
【図１５】
2009026090.tif 000017
【図１６】
2009026090.tif 000018
【図１７】
2009026090.tif 000019
【図１８】
2009026090.tif 000020